(57)【特許請求の範囲】
【請求項１】
外箱と、
この外箱内に設けられた水槽と、
この水槽の外底部に設けられ該水槽内部の水を加熱する加熱手段と、
前記水槽内にほぼ水平の軸回りに回転可能に設けられ洗濯物が収容されるとドラムと、
前記水槽の後面部に、前記外箱の後面部に面して前記ドラムをダイレクトに回転駆動するように設けられたモータと、
このモータの配置位置より下方部位となる外箱の底板部に形成され外気と連通する下部通気部と、
前記外箱の後面部において前記モータの配置位置より上方部位に形成され外気と連通する上部通気部と
を備えてなるドラム式洗濯機。
【請求項２】
外箱と、
この外箱内に設けられた水槽と、
この水槽の外底部に設けられ該水槽内部の水を加熱する加熱手段と、
前記水槽内にほぼ水平の軸回りに回転可能に設けられ洗濯物が収容されるとドラムと、
前記水槽の後面部に、前記外箱の後面部に面して前記ドラムをダイレクトに回転駆動するように設けられたモータと、
前記外箱内に設けられ、前記ドラム内の衣類を乾燥させるためのファン及び温風生成用ヒータ並びに熱交換器を有する乾燥装置と、
前記モータの配置位置より下方部位となる外箱の底板部に形成され外気と連通する下部通気部と、
前記外箱の後面部において前記モータの配置位置より上方部位に形成され外気と連通する上部通気部と
を備えてなるドラム式洗濯機。
【請求項３】
上部通気部の流路面積は下部通気部の流路面積以上に設定されていることを特徴とする請求項１または２記載のドラム式洗濯機。
【請求項４】
外箱の後面部に前記モータに対応して凸部が形成され、この凸部の下部に下部通気部が形成されていることを特徴とする請求項１または２記載のドラム式洗濯機。
【請求項５】
外箱において上部通気部の近傍部に補強部を設けたことを特徴とする請求項１または２記載のドラム式洗濯機。
【発明の詳細な説明】
【０００１】
【発明の属する技術分野】
本発明は、温水生成機能を備えたドラム式洗濯機に関する。
【０００２】
【発明が解決しようとする課題】
従来より、ドラム式洗濯機においては、図１５に示すように、外箱１０１の内部に水槽１０２が複数のサスペンション１０３により保持されて設けられている。この水槽１０２の内部には、ドラム１０４が横軸回転可能に配設されている。このドラム１０４の回転軸１０５は、水槽１０２の後部に取付けられたハウジング１０６に軸受１０７を介して支承されており、この回転軸１０５には従動プーリ１０８が取付けられている。
【０００３】
また、前記水槽１０２の外下部にはモータ１０９が設けられており、この回転軸１０９ａには駆動プーリ１１０が取付けられている。この駆動プーリ１１０と前記従動プーリ１０８との間にはこれらとでベルト伝達機構１１１を構成するベルト１１２が張設されている。さらにまた水槽１０２の外下部には、加熱手段たる温水生成用の加熱器１１３が伝熱的に設けられており、これは器本体１１３ａ内にヒータ１１３ｂが設けられている。この加熱器１１３は、洗い行程やすすぎ行程において水槽１０２内の水を加熱して温水とし、洗浄性の向上を図るものである。
この構成において、モータ１０９の回転駆動力がベルト伝達機構１１１を介してドラム１０４に伝達されて、これが回転されるようになっており、その回転に基づいて洗い、脱水が行なわれるようになっている。なお、乾燥も行なう機能を有するドラム式洗濯機では、乾燥時にもドラム１０４が回転されるようになっている。
【０００４】
しかしながら、この種のドラム式洗濯機では、モータ１０９の回転駆動力をベルト伝達機構１１１を介してドラム１０４に伝達するため、このベルト伝達機構１１１部分で振動が発生しやすく、また、部品数も多いという問題があった。そこで、本発明者では、モータを水槽の後部に設けて、該モータによりドラムをダイレクトに回転させる構成とすることにより、振動の低減や部品数の削減を図ることを考えている。
【０００５】
ところがこの改善構成の場合、新たな問題が発生することが判った。すなわち、上述した改善構成では、モータが水槽の後面部に位置することで、水槽外底部の加熱器に対して、これよりも上方に位置することになり、加熱器の熱影響が上方のモータに及ぶ問題が惹起する。
【０００６】
本発明は上述の事情に鑑みてなされたものであり、その目的は、振動の低減や部品数の削減を図りつつ、加熱手段によるモータへの熱影響の軽減を図り得るドラム式洗濯機を提供するにある。
【０００７】
【課題を解決するための手段】
請求項１の発明は、外箱と、
この外箱内に設けられた水槽と、
この水槽の外底部に設けられ該水槽内部の水を加熱する加熱手段と、
前記水槽内にほぼ水平の軸回りに回転可能に設けられ洗濯物が収容されるとドラムと、
前記水槽の後面部に、前記外箱の後面部に面して前記ドラムをダイレクトに回転駆動するように設けられたモータと、
このモータの配置位置より下方部位となる外箱の底板部に形成され外気と連通する下部通気部と、
前記外箱の後面部において前記モータの配置位置より上方部位に形成され外気と連通する上部通気部と
を含んで構成される。
【０００８】
この構成においては、水槽の後面部にドラムをダイレクトに回転駆動するモータを設ける構成としたから、振動の低減や部品数の削減を図り得るようになる。ここで、モータは加熱手段よりも上方位置に存することになることから、加熱手段から上昇する熱が直接モータや軸受部分に影響を与えることが懸念される。しかし、上記構成においては、モータの配置位置より下方部位である外箱底板部と、モータが面する外箱後面部における該モータの配置位置より上方部位とに、それぞれ外気と連通する下部通気部と上部通気部とが設けられているから、加熱手段で発生する上昇空気流に伴い、外気が下部通気部から内部に流入して、モータが面する外箱内面部に存する上部通気部から流出するようになり、つまり、モータ部分を通る冷却空気流が形成されるようになり、もって、モータや軸受部分への熱影響を軽減できるようになる。
【０００９】
請求項２の発明は、請求項１の発明の構成要素に加え、外箱内に、ドラム内の衣類を乾燥させるためのファン及び温風生成用ヒータ並びに熱交換器を有する乾燥装置を設けた構成である。
この構成においては、熱源として、加熱手段の他に、乾燥装置が備わっているから、外箱内の温度がさらに高くなり、モータや軸受部分への熱影響もかなり大きくなる。しかし、上記構成においては、前述したように、モータの配置位置より下方部位である外箱底板部と、モータが面する外箱後面部における該モータの配置位置より上方部位とに、それぞれ外気と連通する下部通気部と上部通気部とが設けられているから、加熱手段の他に乾燥装置を備えることでモータへの熱的条件が悪くなる中で、良好な放熱が図られるようになり、一層効果的である。
【００１０】
請求項３の発明は、上部通気部の流路面積が下部通気部の流路面積以上に設定されているところに特徴を有する。
この構成においては、比較的広い面積を有する外箱の底板部に下部通気部を形成しているから、下部通気部の流路面積を大きくすることができ、しかも、上部通気部の流路面積をこの下部通気部の流路面積以上に設定しているから、外気  （冷却のための空気）を多量に吸入することができ、冷却効果がさらに良くなるものである。
【００１１】
請求項４の発明は、外箱の後面部に前記モータに対応して凸部が形成され、この凸部の下部に下部通気部が形成されているところに特徴を有する。
この構成においては、凸部の内面とモータとの離間距離を必要最小限に設定することで、外箱の後面部を前側に寄せることができるようになり、外箱の奥行き寸法を小さくすることができるようになる。そして、この凸部の下部に下部通気部を形成したことで、モータの直ぐ近くから外気を吸入することができて、冷却効率が向上する。
【００１６】
請求項５の発明は、外箱において上部通気部の近傍部に補強部を設けたところに特徴を有する。
外箱に、上部通気部が形成されると、その部分は上部荷重に対して弱くなるものであるが、しかし、上記構成においては、外箱において上部通気部の近傍部に補強部を設けたから、上部通気部を有しながらも外箱の強度低下を防止できるようになる。
【００１７】
【発明の実施の形態】
以下、本発明の第１の実施例につき図１ないし図４を参照しながら説明する。まず図１において、ドラム式洗濯機の外箱１は、全体として矩形箱状をなし、鋼板製の外箱本体２と、合成樹脂製の底板部３とから構成されている。外箱本体２の前板部２ａに円形の洗濯物出入口２ｂが形成されている。前記底板部３は、図２及び図３に示すように、左右一対の脚体部３ａ、３ａを下方へ凸状に膨出すると共に、この脚体部３ａ、３ａ間の平坦部分３ｂを相対的に浮かせた形態に形成している。上記脚体部３ａ、３ａの下面の前後には脚座４をそれぞれ取付けている。また上記平坦部分３ｂには、下部通気部５が形成されている。この下部通気部５は多数の円形状の孔部５ａから構成されている。この下部通気部５は、後述する洗濯機モータ２０の配置位置より下方に存するものである。
【００１８】
この外箱１の内部には、軸方向が前後方向を指向する円筒状をなす水槽６が、サスペンション７により、弾性的に下方から支持されて設けられている。
上記水槽６は、例えばいずれも金属板により形成された胴部８と、後板部９と、前板部１０とを有して構成されており、その前板部１０には円形の開口１０ａが形成されている。そして、この開口１０ａと前記洗濯物出入口２ｂとは、全体としては筒状をなす弾性材例えばゴム製のほぼ筒状の接続部材１１により連通するように接続されている。なお、前記洗濯物出入口２ｂは、扉１２により開閉されるようになっている。
【００１９】
上記水槽６の内部には、洗濯物が収容されるドラム１３が回転自在に設けられている。このドラム１３は、胴部１４と、後面部材１５と、前板部１６と接合して構成されている。前記胴部１４の周壁部には多数の孔部１４ａが形成されており、さらにまた、前記前板部１６には円形の開口１６ａが形成されている。また前記後面部材１５は、複数の通気口を有するフレーム部材１５ａに多孔状の板部材１５ｂを取着して構成されている。
【００２０】
また、ドラム１３の後面部材１５の中心部分には、ドラム軸１７が後方に突出するように取付けられており、これは、前記水槽６の後板部８を貫通して取付けられた鋳造成形品からなる軸受ハウジング１８に軸受１９を介して回転自在に支承されており、もって、ドラム１３が回転自在に設けられている。
【００２１】
さらにドラム１３はアウタロータ形でブラシレスモータである洗濯機モータ（請求項１のモータに相当）２０によりダイレクトに駆動されるようになっている。すなわち、この洗濯機モータ２０の回転軸を構成する前記ドラム軸１７の後端部には永久磁石を備えたロータ２１が一体回転し得るように取付けられ、また前記軸受ハウジング１８にはこのロータ２１の内方に位置するようにステータコア及びコイルを備えたステータ２２が設けられている。従って、ロータ２１が回転されると、ドラム軸１７を介してドラム１３がダイレクトに回転駆動されるものである。
【００２２】
さらに水槽６の底部には図示しない排水弁モータによって開・閉される排水弁２３及びフレキシブルな排水ホース２４が設けられており、この排水弁２３の開放により水槽３内の水が排水ホース２４を通して外部に排水されるようになっている。また、上記外箱１内の上部には、図示しないが水槽６内に給水する給水弁が設けられており、これは図示しないフレキシブルホースにより水槽６と接続されている。さらにまた、水槽６の外底部には、加熱手段たる加熱器２５が伝熱的に配設されている。この加熱器２５は、器本体２５ａにヒータ２５ｂを収容配設した構成であり、洗い時やすすぎ時に水槽６の水を加熱して温水を生成するようになっている。
【００２３】
前記洗濯機モータ２０が面するところの前記外箱１の後面部たる外箱本体２の後板部２ｃには、前記洗濯機モータ２０と対向する部位に、保守点検用の開口部２６が形成されている。この開口部２６は、取り外し可能な蓋２７により閉鎖されている。この蓋２７において前記洗濯機モータ２０と対向する部分には、後方へ膨出する凸部２８が形成されている。この凸部２８内面を洗濯機モータ２０と必要最小限の距離をおいて対応させることにより外箱１の奥行き寸法が短くなる。
【００２４】
上記外箱本体２の後板部２ｃには上部通気部２９が形成されており、この上部通気部２９は多数の円形状の孔部２９ａから構成されている。この上部通気部２９は、前述した洗濯機モータ２０の配置位置よりも上方部位となる。この上部通気部２９の流路面積（各孔部２９ａの合計開口面積）は、前述した下部通気部５の流路面積（各孔部５ａの合計開口面積）以上となるように設定されている。
【００２５】
上記構成の本実施例において、洗い運転時には、加熱器２５のヒータ２５ｂが通電されて、水槽６内の水が加熱されて温水とされると共に、洗濯機モータ２０が比較的低い回転速度正逆方向へ間欠駆動されることにより、ドラム１３が正逆間欠回転される。また脱水運転時には洗濯機モータ２０が高速回転されてドラム１３が高速回転されるようになっている。
【００２６】
このような本実施例においては、水槽６の後面部たる後板部９にドラム１３をダイレクトに回転駆動する洗濯機モータ２０を設ける構成としたから、振動の低減や部品数の削減を図り得るようになる。ここで、洗濯機モータ２０は加熱装置２５よりも上方位置に存することになることから、加熱装置２５から上昇する熱が直接洗濯機モータ２０や軸受１９部分に影響を与えることが懸念される。しかし、上記実施例においては、洗濯機モータ２０の配置位置より下方部位となる底板部３に外気と連通する下部通気部５が設けられ、洗濯機モータ２０が面する後板部２ｃにおいて洗濯機モータ２０の配置位置より上方となる部位に、外気と連通する上部通気部２９が設けられているから、加熱装置２５で発生する上昇空気流に伴い、外気が下部通気部５から内部に流入して、洗濯機モータ２０が面する外箱１後面部に存する上部通気部２９から流出するようになり、つまり、洗濯機モータ２０近傍の後面部に沿って上部通気部２９から流出するようになり、洗濯機モータ２０部分を通る冷却空気流が形成されるようになり、もって、洗濯機モータ２０や軸受１９部分への熱影響を軽減できる。
【００２７】
また本実施例によれば、下部通気部５を外箱１において比較的広い面積を有する底板部３に形成したから、下部通気部５の流路面積を大きくすることができる。そして、上部通気部２９の流路面積を、この下部通気部５の流路面積以上に設定されているから、外気を多量に吸入することができ、冷却効果がさらに良くなる。
【００２８】
さらにまた、本実施例によれば、上部通気部２９を、外箱本体２において比較的広い面積を有し且つ使用者の目に触れにくい部分である後板部２ｃに形成したから、上部通気部２９の流路面積を充分に確保できると共に、外観的にも良い。ここで、仮に、この後板部２ｃに、例えば横長あるいは縦長な形状の複数の孔部からなる上部通気部を形成すると、外箱１が上部荷重に対して弱くなるものである。しかるに上記実施例によれば、上部通気部２９を円形状の孔部２９ａから構成しているから、強度的な低下を極力防止できる。
【００２９】
次に、図５には本発明の第２の実施例を示している。この実施例におけるドラム式洗濯機は、乾燥機能を備えている。すなわち、水槽６の後部から上方及び前方にかけて、乾燥装置３１が設けられており、これについて述べる。水槽６の後板部９には、温風戻し口３２が形成されている。この温風戻し口３２には、外気と温風とを熱交換する熱交換器３３の一端部が接続され、この熱交換器３３の他端部は蛇腹状の連結ダクト３４を介して、ファン装置３５の送風ケーシング３５ａの吸入側に接続されている。このファン装置３５の吐出側には、ダクト３６、加熱装置３７、ダクト３８の一端部に順に接続されている。そして、このダクト３８の他端部は、接続部材１１に形成した温風吐出口１１ａに接続されて、水槽６内に連通している。
【００３０】
前記送風ケーシング３５ａの内部には送風羽根（図示せず）が設けられていて、この送風羽根は乾燥ファンモータ（図示せず）により駆動されるようになっており、また、加熱装置３７内には乾燥ヒータ（図示せず）が設けられている。さらに上記熱交換器３３内には湿気凝縮用の水が供給されて排水されるようになっており、その水は乾燥用の電磁形の給水弁（図示せず）により供給されるようになっている。
【００３１】
このような乾燥装置３１においては、乾燥運転時に、ドラム１３が回転されると共に、乾燥ファンモータが回転駆動され、乾燥ヒータが通電発熱される。乾燥ファンモータによりファンが回転され、ドラム１３内の空気が、矢印Ａで示すように、温風戻し口３２から吸引され、熱交換器３３、連結ダクト３４、送風ケーシング３５、ダクト３６、加熱装置３７、ダクト３８を通り、そして温風吐出口１１ａから水槽６内に戻される。この循環により上記空気が温風化されると共に熱交換（除湿）され、もって洗濯物が乾燥される。
【００３２】
この構成においては、熱源として、加熱装置２５の他に、乾燥装置３１が備わっているから、外箱１内の温度がさらに高くなり、モータ２０や軸受１９部分への熱影響もかなり大きくなる。しかし、この第２の実施例においても、洗濯機モータ２０の配置位置より下方部位及び上方部位に、それぞれ外気と連通する下部通気部５及び上部通気部２９が設けられているから、加熱装置２５の他に乾燥装置３１を備えることで洗濯機モータ２０への熱的条件が悪くなる中で、良好な放熱が図られるようになり、一層効果的である。
【００３３】
図６は本発明の第３の実施例を示しており、この実施例においては、外箱１の蓋２７における凸部２８の下部に別の下部通気部４１を形成したところが第１の実施例と異なる。この下部通気部４１は、多数の円形状の孔部４１から構成されている。
上記凸部２８は、外箱１の奥行き寸法の短小化に寄与できるものであるが、その下部に別の下部通気部４１を形成したことで、洗濯機モータ２０の直ぐ近くから外気を吸入することができて、冷却効率の向上を図ることができる。特に、外箱１の底板部３の下部通気部５と上部通気部２９とにより下から上方への空気流が形成されていることから、その煙突効果により今一つの下部通気部４１から外気が良好に流入するようになる。
【００３４】
図７ないし図１０は本発明の第４の実施例を示し、この実施例においては次の点が第１の実施例と異なる。すなわち、下部通気部４２は複数の細長い孔部４２ａから構成されており、各孔部４２ａの縁部には、外箱１内部方向で且つ洗濯機モータ２０方向へ延びるルーバー４３が形成されている。また、上部通気部４４は、外箱本体２の後板部２ｃの上部に形成されており、これは複数の細長い孔部４４ａから構成されている。そして、各孔部４４ａの縁部には、外箱１内部方向で且つ上方へ延びるルーバー４５が形成されている。さらに、この上部通気部４４の近傍部である外箱本体２の該上部通気部４４上方の内側角部には、補強部たる補強部材４６が配設されている。この補強部材４６は図１０から判るように、外箱本体２の後板部２ｃ内面に当接する主体部４６ａと外箱本体２の左右側板部の内面に当接するアーム状部４６ｂ、４６ｃとから構成されている。
【００３５】
この実施例によれば、下部通気部４２及び上部通気部４４にそれぞれルーバー４３及び４５を形成したから、外箱１外部から水がこれら通気部４２、４４に入りにくくなり、さらには外部からの異物がこれら通気部４２、４４から内部に不用意に入ることもない。特に、ルーバー４３を、外箱１内部方向で且つ洗濯機モータ２０方向へ延びる形態に形成したから、手指を怪我する虞がないと共に、吸入外気を洗濯機モータ２０側へ案内できるようになり、また、ルーバー４５を外箱１内部方向で且つ上方へ延びる形態に形成したから、手指を怪我する虞がないと共に、外箱１外部の水が上部通気部４４から入ることもない。
【００３６】
ここで、外箱１に上部通気部４４が形成されると、特に細長な孔部４４ａからなる上部通気路４４であると、その部分は上部荷重に対して弱くなるものであるが、しかし、上記実施例においては、外箱１において上部通気部４４の近傍部に補強部材４６を設けたから、外箱１の強度低下を防止でき、この結果、支障なく洗濯機モータ２０部分の放熱を図ることができる。
【００３７】
図１１及び図１２は本発明の第５の実施例を示しており、この実施例においては、底板部４７及び下部通気部の構成が第１の実施例と異なる。すなわち、合成樹脂製の底板部４７には、下部通気部としての例えば一つの大きな矩形状の開口４８が形成されている。この開口４８の対向辺部は脚体部３ａ、３ａに沿う形態であり、そして、他の対向辺部に沿う形態で断面コ字形の補強部４９、４９が形成されている。
【００３８】
この実施例によれば、底板部４７に下部通気部として大きな開口４８を形成したから、多数の孔部から下部通気部を構成するよりも、流路面積を大きくできて有利である。この場合、大きな開口４８を形成すると底板部４７自体の強度が弱くなってしまうが、この実施例によれば、補強部４９、４９を形成することで強度低下を防止できる。この結果、底板部４７の強度を維持しながら、下部通気部として大きな開口４８を形成でき、外気をさらに多量に吸入することができ、冷却効果をさらに良くし得る。
【００３９】
図１３及び図１４は本発明の第６の実施例を示し、この実施例においては、底板部５０及び下部通気部の構成が第１の実施例と異なる。すなわち、底板部５０が、断面コ字形の複数の形材５１、５１、５２、５２ををほぼ枠状に組み合わせ、連結分を例えばスポット溶接（その溶接部分に符号５３を付している）により接合して構成されている。そして、この底板部５０において、その枠内の大きな開口５３により下部通気部が形成されている。なおスポット溶接に代えてねじ止めもしくはリベット止めでも良い。
【００４０】
この実施例によれば、底板部５０を複数の形材５１、５１、５２、５２をほぼ枠状に組み合わせて構成し、その枠内の大きな開口５３により下部通気部を形成する構成であるから、外気をさらに多量に吸入することができ、冷却効果をさらに良くし得ると共に、底板部が例えばプラスチックの成形品である場合に比し、製造コストを安くできる。
【００４１】
【発明の効果】
本発明は以上の説明から明らかなように、次の効果を得ることができる。
請求項１の発明によれば、水槽の後面部にドラムをダイレクトに回転駆動するモータを設ける構成としたから、振動の低減や部品数の削減を図り得、しかも、モータの配置位置より下方部位である外箱底板部と、モータが面する外箱後面部における該モータの配置位置より上方部位とに、それぞれ外気と連通する下部通気部と上部通気部とが設けられているから、モータが加熱手段より上方位置となるにもかかわらず、該モータや軸受部分への熱影響を軽減できる。
【００４２】
請求項２の発明によれば、熱源として、加熱手段の他に乾燥装置を備えることでモータへの熱的条件が悪くなる中で、良好な放熱が図られるようになり、一層効果的である。
請求項３の発明によれば、上部通気部の流路面積を下部通気部の流路面積以上に設定したから、外気を多量に吸入することができ、冷却効果がさらに良くなる。
【００４３】
請求項４の発明によれば、外箱の後面部にモータに対応して凸部を形成し、この凸部の下部に下部通気部を形成したから、外箱の奥行き寸法を小さくすることができ、しかも、モータの直ぐ近くから外気を吸入することができて、冷却効率の向上を図ることができる。
【００４５】
請求項５の発明によれば、外箱において上部通気部の近傍部に補強部を設けたから、上部通気部を有しながらも上方からの荷重に対して外箱の強度を強くできる。
【図面の簡単な説明】
【図１】本発明の第１の実施例を示すドラム式洗濯機の縦断側面図
【図２】底板部の下面図
【図３】底板部の下方からの斜視図
【図４】ドラム式洗濯機の背面図
【図５】本発明の第２の実施例を示すドラム式洗濯機の縦断側面図
【図６】本発明の第３の実施例を示すドラム式洗濯機の縦断側面図
【図７】本発明の第４の実施例を示すドラム式洗濯機の縦断側面図
【図８】底板部の下面図
【図９】ドラム式洗濯機の背面図
【図１０】補強部材を透視的に示す斜視図
【図１１】本発明の第５の実施例を示す底板部の上方からの斜視図
【図１２】底板部の縦断側面図
【図１３】本発明の第６の実施例を示す底板部の上方からの斜視図
【図１４】底板部の下方からの斜視図
【図１５】従来例を示すドラム式洗濯機の縦断側面図
【符号の説明】
１は外箱、３は底板部、５は下部通気部、６は水槽、１３はドラム、２０は洗濯機モータ（モータ）、２５は加熱装置（加熱手段）、２７は蓋、２８は凸部、２９は上部通部、２９ａは孔部、３１は乾燥装置、４１は下部通気部、４１ａは孔部、４２は下部通気部、４２ａは孔部、４３はルーバー、４４は下部通気部、４４ａは孔部、４５はルーバー、４６は補強部材（補強部）、４７は底板部、４８は開口（下部通気部）、４９は補強部、５０は底板部、５１、５２は形材、５３は開口（下部通気部）を示す。
【図１】
0003564319.tif 000002
【図２】
0003564319.tif 000003
【図３】
0003564319.tif 000004
【図４】
0003564319.tif 000005
【図５】
0003564319.tif 000006
【図６】
0003564319.tif 000007
【図７】
0003564319.tif 000008
【図８】
0003564319.tif 000009
【図９】
0003564319.tif 000010
【図１０】
0003564319.tif 000011
【図１１】
0003564319.tif 000012
【図１２】
0003564319.tif 000013
【図１３】
0003564319.tif 000014
【図１４】
0003564319.tif 000015
【図１５】
0003564319.tif 000016